【手続補正書】
【提出日】平成29年5月22日(2017.5.22)
【手続補正１】
【補正対象書類名】明細書
【補正対象項目名】０１４４
【補正方法】変更
【補正の内容】
【０１４４】
本開示は、上記の実施形態に限定されないが、以下の請求項及びすべてのその等価物に詳述する制限によって規制される。本開示は、本明細書に具体的に開示されていない要素を欠いても適宜実施され得る。本発明の実施態様の一部を以下の項目［１］−［１５］に記載する。
［項目１］
網状熱可塑性フィルムであって、該網状熱可塑性フィルムが、
第１及び第２の主表面を含む熱可塑性裏材と、該熱可塑性裏材の複数の開口部と、該熱可塑性裏材の第１の主表面から突出する複数の別個の要素とを備え、任意の所与の開口部の反対端に隣接する２つの別個の要素があり、該２つの別個の要素が第１の方向に整列配置されており、所与の開口部と第１の方向に垂直な第２の方向において整列配置された隣接する開口部の間に１つの別個の要素があり、次に述べることの少なくとも１つ：
前記所与の開口部周りの熱可塑性裏材の各部分が長手方向に可塑的に変形しており、及び複数の開口部及び所与の開口部の開口部が伸縮自在な開口部であること；又は
前記所与の開口部周りの熱可塑性裏材の少なくとも１つの部分が、所与の開口部に隣接する端部でその中間点より高い延伸によって誘導される分子配向の幅にわたるプロファイルを有すること；
が真である、網状熱可塑性フィルム。
［項目２］
前記別個の要素の少なくともいくつかが１つの直立柱をそれぞれ含み、又は前記別個の要素の少なくともいくつかが表面突出部に２つ以上の直立柱を含む、項目１に記載の網状熱可塑性フィルム。
［項目３］
前記直立柱が雄締結要素の一部である、項目２に記載の網状熱可塑性フィルム。
［項目４］
前記熱可塑性裏材が実質的に平らである、項目１〜３のいずれか一項に記載の網状熱可塑性フィルム。
［項目５］
前記複数の別個の要素が第１の方向で見たとき千鳥配列に配置される、項目１〜４のいずれか一項に記載の網状熱可塑性フィルム。
［項目６］
前記別個の要素が熱可塑性裏材の上方に少なくとも３０マイクロメートルの高さを有する、項目１〜５のいずれか一項に記載の網状熱可塑性フィルム。
［項目７］
前記熱可塑性裏材がポリエチレン又はポリプロピレンのうち少なくとも１つを含む、項目１〜６のいずれか一項に記載の網状熱可塑性フィルム。
［項目８］
支持材料に接合した項目１〜７のいずれか一項に記載の網状熱可塑性フィルムを含む積層体。
［項目９］
前記網状熱可塑性フィルムが接着剤で前記支持材料に接合されており、及び該接着剤が熱可塑性裏材の少なくともいくつかの開口部で露出する、項目８に記載の積層体。
［項目１０］
項目１〜７のいずれか一項に記載の網状熱可塑性フィルム、又は項目８若しくは９に記載の積層体を含む吸収性物品。
［項目１１］
項目１〜７のいずれか一項に記載の網状熱可塑性フィルムを作製する方法であって、該方法が、
第１及び第２主表面及び熱可塑性裏材の第１の主表面から突出する複数の別個の要素を含む熱可塑性裏材であって、該別個の要素の少なくともいくつかが第１の方向に一列に整列配置されている、熱可塑性裏材を提供すること、
第１の方向に熱可塑性裏材を延伸して、熱可塑性裏材を可塑的に変形して及び第１の方向に一列に整列配置されている該別個の要素の少なくともいくつかを分離することであって、該熱可塑性裏材が第１の方向に延伸したあと複数の別個の要素の間にそのまま維持されているようにすること、並びに
その後第１の方向に垂直な第２の方向に熱可塑性裏材を延伸し、該第２の方向に延伸することで、第１の方向に一列に整列配置された別個の要素の２つの隣接するものの間の前記熱可塑性裏材に、別個の要素の２つの隣接するものによって中断されている裂け目を形成すること、を含む方法。
［項目１２］
第２の方向に延伸したあと、前記熱可塑性裏材が第２の方向に延伸する前と実質的に同じ厚みを有する、項目１１に記載の方法。
［項目１３］
第２の方向に延伸している間若しくは延伸したあとの少なくとも１つで、熱可塑性裏材を加熱することを更に含む、項目１１又は１２に記載の方法。
［項目１４］
前記熱可塑性裏材を第２の方向に延伸する前に熱可塑性裏材の第２の表面に接着剤を塗布することを更に含む、項目１１、１２又は１３に記載の方法。
［項目１５］
上記が網状熱可塑性フィルムを支持材料に積層することを更に含む、項目１１〜１４のいずれか一項に記載の方法。
【手続補正２】
【補正対象書類名】特許請求の範囲
【補正対象項目名】全文
【補正方法】変更
【補正の内容】
【特許請求の範囲】
【請求項１】
網状熱可塑性フィルムであって、該網状熱可塑性フィルムが、
第１及び第２の主表面を含む熱可塑性裏材と、該熱可塑性裏材の複数の開口部と、該熱可塑性裏材の第１の主表面から突出する複数の別個の要素とを備え、任意の所与の開口部の反対端に隣接する２つの別個の要素があり、該２つの別個の要素が第１の方向に整列配置されており、所与の開口部と第１の方向に垂直な第２の方向において整列配置された隣接する開口部の間に１つの別個の要素があり、各別個の要素が雄締結要素を含み、次に述べることの少なくとも１つ：
前記所与の開口部周りの熱可塑性裏材の各部分が長手方向に可塑的に変形しており、及び複数の開口部及び所与の開口部の開口部が伸縮自在な開口部であること；又は
前記所与の開口部周りの熱可塑性裏材の少なくとも１つの部分が、所与の開口部に隣接する端部でその中間点より高い延伸によって誘導される分子配向の幅にわたるプロファイルを有すること；
が真である、網状熱可塑性フィルム。
【請求項２】
前記別個の要素の少なくともいくつかが表面突出部に２つ以上の雄締結要素を含む、請求項１に記載の網状熱可塑性フィルム。
【請求項３】
前記別個の要素が熱可塑性裏材の上方に少なくとも３０マイクロメートルの高さを有する、請求項１又は２に記載の網状熱可塑性フィルム。
【請求項４】
支持材料に接合した請求項１〜３のいずれか一項に記載の網状熱可塑性フィルムを含む積層体。
【請求項５】
前記網状熱可塑性フィルムが接着剤で前記支持材料に接合されており、及び該接着剤が熱可塑性裏材の少なくともいくつかの開口部で露出する、請求項４に記載の積層体。
【請求項６】
請求項１〜３のいずれか一項に記載の網状熱可塑性フィルム、又は請求項４若しくは５に記載の積層体を含む吸収性物品。
【請求項７】
請求項１〜３のいずれか一項に記載の網状熱可塑性フィルムを作製する方法であって、該方法が、
第１及び第２主表面及び熱可塑性裏材の第１の主表面から突出する複数の別個の要素を含む熱可塑性裏材であって、該別個の要素の少なくともいくつかが第１の方向に一列に整列配置されている、熱可塑性裏材を提供すること、
第１の方向に熱可塑性裏材を延伸して、熱可塑性裏材を可塑的に変形して及び第１の方向に一列に整列配置されている該別個の要素の少なくともいくつかを分離することであって、該熱可塑性裏材が第１の方向に延伸したあと複数の別個の要素の間にそのまま維持されているようにすること、並びに
その後第１の方向に垂直な第２の方向に熱可塑性裏材を延伸し、該第２の方向に延伸することで、第１の方向に一列に整列配置された別個の要素の２つの隣接するものの間の前記熱可塑性裏材に、別個の要素の２つの隣接するものによって中断されている裂け目を形成すること、を含む方法。
【請求項８】
第２の方向に延伸している間若しくは延伸したあとの少なくとも１つで、熱可塑性裏材を加熱することを更に含む、請求項７に記載の方法。
【請求項９】
前記熱可塑性裏材を第２の方向に延伸する前に熱可塑性裏材の第２の表面に接着剤を塗布することを更に含む、請求項７又は８に記載の方法。
【請求項１０】
上記が網状熱可塑性フィルムを支持材料に積層することを更に含む、請求項７〜９のいずれか一項に記載の方法。